(57)【要約】      （修正有）【課題】２台のマットレスを直接並列して置いたときに、マットレスとマットレスの間にできる気になる隙間を埋めるだけでなく、マットレスの動きを少なくし、その隙間が広がらないようにして、就寝しやすくする滑り止め付隙間パッドを提供する。【解決手段】２台のマットレスの長辺部を接合して幅広のベッドとして使用する際に生ずるマットレスの間にできる隙間を埋めるため、所定の幅でマットレスの長さを長辺１２５とする平面部１２とその幅の中央部に長辺１２５に沿って平面部１２に略垂直に突出させた垂直部１３とで形成する隙間パッド１１において、マットと接すると垂直部１３の両側のそれぞれの平面部１２に所定の幅で平面部１２の長辺１２５に合わせ滑り止めを付け、また、平面部１２の上面断面を半楕円形にするものである。【選択図】図２
0003215277.tif 000002
【実用新案登録請求の範囲】
【請求項１】
２台のマットレスの長辺部を直接並列に置いて、幅広のベッドとして使用する際に生ずるマットレスの間にできる隙間を埋め、２台のマットレスが動いて、その隙間が広がらないようにするため、所定の幅でマットレスの長さに合わせた平面部と、その幅の中央部に平面部に略垂直にマットレスの長辺の長さに合わせて所定の高さで突出させた垂直部とで形成するＴ字型の隙間パッドにおいて、垂直部の両側のマットと接する平面部の下面それぞれに、所定の幅で平面部の長辺の長さに合わせた滑り止めを付けることを特徴とする滑り止め付隙間パッド。
【請求項２】
マットレスと接しない平面部の上面は、半楕円上にした請求項１の滑り止め付隙間パッド。
【請求項３】
ウレタンブロックから所定の形状にカットして形成した隙間パッドに、不織布の滑り止めを付けた請求項１又は請求項２のいずれかの滑り止め付隙間パッド。
【考案の詳細な説明】
【技術分野】
【０００１】
本考案は、２台のマットレスを直接並列に置いたときにマットレスとマットレスの間にできる気になる隙間を埋め、更にマットレスの動きを少しでも防止することができる滑り止め付隙間パッドに関するものである。
【背景技術】
【０００２】
長年に亘り寝具類の卸販売等を行っている本願出願人の代表者である考案者は、自らも寝具類についての創作活動も行ってきた。その経過において、消費者から、２台のシングルマットレスの長辺を直接並列に置いてワイドサイズのベッドとして使用したいが、２台のシングルマットレスの間にできる隙間（以下、隙間とする）とシングルマットレスの左右の縁部分との凸凹が気になり、寝返りを打つと目が覚めたり、あるいは赤ちゃんを中心として寝たいが、その赤ちゃんもその部分が気になるのではないかと思うとの意見を聞いていた。
そこで、直接並列に置いた２台のシングルマットレスの間にできる隙間の上にマットレスの長辺の長さに合わせた適当な幅の薄い敷き布団を置いたが、その布団の厚みが気になり、また並列にした２枚のシングルマットレスの隙間が寝ている間に広がり目が覚めるとの意見もあった。
そこで、本考案者は、２枚のシングルマットレスの間にできる隙間の上に薄いパッドを敷くだけでなく、断面をＴ字型として、水平部は隙間上に載せ、水平部の中央の垂直部分は隙間に挿入し、水平部は、その厚みでマットレスとの段差から生じる違和感を除くため中心部から両端に向かい、その厚さを薄くしていき、更には、２台のマットレスがずれないように、マットレスと接する平面部の裏面には滑り止めを付けることを思いつき、本願を提出するものである。
【０００３】
上記のような２台のシングルマットレスの長辺を直接並列に置いたときに、そのマットレスの間にできる気になる隙間を除く方法としての先行技術としては以下のような文献が見られる。
突き合わせ並べられる２つのマットレスをその状態に、両者間に隙間無く、また、隙間が生じ難い状態で一体化して包み込める袋シーツ(特許文献１)、ベッドを２台接合させて広面積状態で使用する際の、マットレス近接部を被覆するためマットレス近接部における各側のマットレス側縁上面を所定小幅ずつ被覆し得る幅で且つマットレスの略全長に亘る長さを有した水平板部と、水平板部の下面の幅方向中間位置において下向きに突出してマットレス近接部に生じる隙間に差し込まれる下向き板部とを、Ｔ型に一体形成したマットレス近接部用の被覆パッド（特許文献２）等がある。
【０００４】
特許文献１は、２つのマットレスを突き合わせ並べられた状態にして、両者間に隙間無く、また、隙間が生じ難い状態で一体化して包み込める袋シーツであり、２つのマットレスを袋シーツに入れるのに手間がかかという難点があり、特許文献２は、本考案と同様な考え方であるが、２つのマットレスの隙間が寝返り等で広がるのを防ぎ難く、この被覆パッドの厚さによるマットレスとの段差も気になるのではないかと考えられた。
【先行技術文献】
【特許文献】
【０００５】
【特許文献１】特開２００２−１７７０９４号公報
【特許文献２】実用新案登録第３２０２９７８号公報
【０００６】
そこで、本考案では、２台のマットレスを直接並列に置いたときにできる気になる隙間を埋め、またマットレスの動きを防ぎ隙間の広がりを防ぎ、より寝やすくする用具を提供するものである。
【考案の概要】
【考案が解決しようとする課題】
【０００７】
解決しようとする課題は、上記のように、２台のマットレスを直接並列して置いたときに、マットレスとマットレスの間にできる気になる隙間を埋めるだけでなく、マットレスの動きを少なくし、その隙間が広がらないようにして、より寝やすくすることである。
【課題を解決するための手段】
【０００８】
すなわち第１考案は、２台のマットレスの長辺部を直接並列に置いて、幅広のベッドとして使用する際に生ずるマットレスの間にできる隙間を埋め、２台のマットレスが動いて、その隙間が広がらないようにするため、所定の幅でマットレスの長さに合わせた平面部と、その幅の中央部に平面部に略垂直にマットレスの長辺の長さに合わせて所定の高さで突出させた垂直部とで形成するＴ字型の隙間パッドにおいて、垂直部の両側のマットと接する平面部の下面それぞれに、所定の幅で平面部の長辺の長さに合わせた滑り止めを付けることを特徴とする滑り止め付隙間パッドである。
【０００９】
マットレスとは、洋風寝具の敷布団であり、長方形であり一定の厚さを有している。シングルサイズからワイドサイズまで多くのバリエーションのサイズがある。
シングルマットレス等、幅の狭いマットレス２台をその長辺部を隣接させて広く使用したい場合がある。例えば、子供ができたとき等である。
２台のマットレスの長辺部を直接並列に置いて幅広く使用する場合、敷布等をかけても２台のマットレスの間に生ずる隙間(以下、隙間とする)は気になり、またその隙間が就寝中に広がる場合もある。図１に２台のマットレスを直接並列に置いたときに生ずる隙間を示す。
【００１０】
本考案は、この気になる隙間の違和感を和らげ、マットレスの動きを少しでも止めて、よりその隙間が広がることを少しでも防ぐためのものである。
断面はＴ字型であり、その長さはマットレスの長さと同じかそれより短めである。Ｔ字型の平面部と垂直部は長方形あり、垂直部は平面部の短辺の中心に沿って垂直に付けられている。平面部の幅は任意であり、垂直部の平面部からの長さすなわち高さは、マットレスの厚さに関連するが、任意であり、垂直部がマットレスの隙間に安定して挿入できればよい。平面部と垂直部を接合してＴ字型とするか、一体的にＴ字型とするかは任意である。水平部は人が横たわる場所であり、また垂直部は２台のマットレスに生じた隙間に柔軟に対応する必要があり、いずれも弾力性のあるものが好ましい。このＴ字型を隙間パッドとする。
【００１１】
隙間パッドの平面の裏面には隙間に挿入する垂直部があり、隙間パッドの平面部の裏面は垂直部により２区分されている。この２区分に分けられたそれぞれの平面部の裏面に滑り止めを付けるものである。この滑り止めの役割は、直接並列に置いた２台のマットレスの動きを止め、少しでも隙間が広がるのを防ぐものである。隙間パッドの平面部の裏面に滑り止めを付けたものを滑り止め付隙間パッドとする。
滑り止め付隙間パッドは任意に取り外しできることが必要であり、滑り止めは、強固に粘着するものは使用できず、市販の滑り止め用裏地等が使用される。滑り止めは、隙間パッドの材質及びマットレスの表装生地と馴染み、滑り止めの効果があれば足りる。滑り止めの幅は任意であり、その長さは、隙間パッドの長さと略同じとする。
【００１２】
続いて第２考案は、マットレスと接しない平面部の上面は、半楕円上にした第１考案の滑り止め付隙間パッドである。
【００１３】
滑り止め付隙間パッドの平面部の上面は人が横たわる場所であるが、その平面部も所定の厚さを持っている。この平面部の厚さはマットレスと段差を生ずる。この段差は寝返りをうったときなどは気になり、この段差はできるだけ少ないことが望まれる。そこで、平面部の上面は、その短辺の中心より左右に緩やかに傾斜させ、すなわち半楕円状にしてその両端の厚さを小さくするものである。
【００１４】
続いて、第３考案は、ウレタンブロックから所定の形状にカットして形成した隙間パッドに、不織布の滑り止めを付けた第１考案又は第２考案のいずれかの滑り止め付隙間パッドである。
【００１５】
ウレタンはポリウレタン樹脂と呼ばれ弾力性のある樹脂として知られ、発泡性のウレタンはスポンジとして使用される。ウレタンは、軽く搬送し易く、折り曲げても、そのしわがとれやすく復元しやすいため流通経路に載せやすいという特徴がある。更に、ウレタンブロックから立体的な形状に形成しやすく、弾力性があることから、隙間パッドの素材として最適な材料である。
【００１６】
不織布とは、繊維を織らずに絡み合わせたシート状のものをいい、カーペットの裏地などに滑り止めとして使用される。この不織布は、柔軟性があり隙間パッドの素材であるウレタン及びマットレスの素地と馴染み、滑り止めの効果があるためである。
【考案の効果】
【００１７】
第１考案は、２台のマットレスの長辺部を直接並列に置いて幅広のベッドとして使用する際に生ずるマットレスの間にできる隙間を埋め、隣接する２台のマットレスの隙間が広がらないようにする効果がある。
第２考案は、第１考案の滑り止め付隙間パッドがより就寝しやすくするものであり、第３考案は、滑り止め付隙間パッドの素材を限定して、利用しやすくするとともに、製造費を減少し、さらに流通経路に載せやすくするものである。
【図面の簡単な説明】
【００１８】
【図１】図１は、２台のマットレス間に生ずる隙間を示す図である。
【図２】図２は、隙間パッドの概略図である。
【図３】図３は、試作した隙間パッドの断面寸法図である。
【図４】図４は、２台のマットレスの隙間に載せた滑り止め付隙間パッドの断面図である。
【図５】図５は、滑り止め付隙間パッドの裏面図と滑り止めの図である。
【図６】図６は、滑り止め付隙間パッドの製造工程図である。
【図７】図７は、滑り止め付隙間パッドの使用図である
【考案を実施するための形態】
【００１９】
本考案の実施例を以下に示す。
【実施例１】
【００２０】
図２は、隙間パッド１１の斜視図である。滑り止めは未だ付けられていない。隙間パッド１１は、平面部１２と垂直部１３で構成され、平面部の上面１２１は緩やかな半楕円型になっている。垂直部１３は、平面部の下面１２２の短辺１２４の中心部から垂直に突出し、その長さは隙間パッド１１の長辺１２５と同じである。
【００２１】
図３は、試作した隙間パッド１１の断面寸法図である。隙間パッドの平面部の上面１２１は緩やかな半楕円形としている。半楕円型としたのは、垂直部１３が付く平面部１２の中心は、強度が必要であるため、厚くする必要があるが、両端部１２３ではその厚さがマットレスとの気になる段差１５となるため、平面部の両端部１２３にいくほど厚さを薄くしたものである。
試作品では、平面部の短辺１２４の中心部では、その厚さを１．５ｃｍとし、両端部１２３の厚さは０．５ｃｍとしている。
垂直部１３の幅は、１．５ｃｍ、垂直部の高さ１３１は５ｃｍとしている。平面部の上面１２１中心部から垂直部の端までの全体の高さは、６．５ｃｍである。
また、隙間パッド１１の短辺１２４の長さは３０ｃｍと示されているが、長辺１２５の長さは、図面の関係上示されていないが、この試作品では、マットレスの長さに合わせ１９５ｃｍとしている。
なお、これらの寸法は、試作品でのものであり、隙間パッ１１の形状はこの寸法に限るものではない。
【００２２】
図４は、２台のマットレス２の隙間２１上に載せた滑り止め付隙間パッド１の断面図である。垂直部１３は、２台のマットレス２間の隙間２１に挿入されている。
垂直部の高さ１３１は、マットレスの厚さによるが、任意である。垂直部１３の両側の平面部下面１２２には滑り止め１４が付けられている。滑り止め１４の幅は、隙間パッド１１の両端１２３より短くする必要があるが任意であり、長さは隙間パッド１１の長さと同じである。
【実施例２】
【００２３】
図５は、滑り止め付隙間パッドの裏面図と滑り止めの図である。図５(１)は、滑り止め付隙間パッド１の底面図であり、垂直部１３の両側に滑り止め１４が隙間パッド１１の長さに合わせ固定されている。固定とは隙間パッドと滑り止めは密着しはがれないようになっている状態をいうものである。
図５(２)は、滑り止め１４が、隙間パッド１１の平面部の下面１２２に固定されている図であり、この滑り止め１４は、隙間パッド１１平面部の下面１２２とは、両面テープで固定され、  滑り止め付隙間パッド１を構成している。なお、滑り止めと隙間パッド１１平面部の下面とは、両面テープで固定しているとしたが、この方法に限るものではなく、固定方法は任意である。
図５(３)は滑り止め１４の図である。滑り止め１４は、市販品の滑り止め用不織布を所定の大きさに裁断し使用している。
【００２４】
図６は、滑り止め付隙間パッドの製造工程図である。図６(１)はウレタンブロック３から隙間パッド１１を切り出す工程であり、図６(２)は切り出した隙間パッド１１の図であり、図６(３)は、滑り止め付隙間パッド１の図である。
【００２５】
図７は、滑り止め付隙間パッドの使用図である。２台のシングルマットレス２を直接並列に置き、できた隙間に滑り止め付隙間パッド１の垂直部を挿入し、広いマットレスとして子供を中心に夫婦が横たわっている。
【産業上の利用可能性】
【００２６】
２台のマットレスを直接並列に置いて幅広のベッドとして使用したい場合は多い。そのときには、本考案の係る滑り止め付隙間パッドは役に立つ。大量生産が可能であり、安価に供給でき、需要が期待される。
【符号の説明】
【００２７】
１    滑り止め付隙間パッド  １１  隙間パッド  
１２（隙間パッド）の平面部  １２１ 平面部の上面  １２２ 平面部の下面  
１２３  平面部の両端  １２４  平面部の短辺  １２５  平面部の長辺
１３（隙間パッド）の垂直部  １３１  垂直部の高さ  
１４ 滑り止め  
１５（平面部とマットレスの）段差
２  マットレス  ２１（マットレス間の）隙間
３  ウレタンブロック
【図１】
0003215277.tif 000003
【図２】
0003215277.tif 000004
【図３】
0003215277.tif 000005
【図４】
0003215277.tif 000006
【図５】
0003215277.tif 000007
【図６】
0003215277.tif 000008
【図７】
0003215277.tif 000009